(57)【要約】【課題】移植適期に生育した苗を入れた育苗箱を格納運搬する育苗箱運搬容器で、同容器は人力での移動及び運搬に最適で、大中小規模の生産者にも、大苗、中苗及び小苗の利用者にも、又該容器製造メーカーにも便利な、該容器のユーザーの希望する仕様に容易に対応できる育苗箱運搬容器を提供すること。【解決の手段】本発明の組み立て式育苗箱多段格納運搬容器は、４本の支柱を異なる仕様の支柱と交換容易な構造とし、育苗箱の格納枚数及び大苗、中苗及び小苗の利用に起因する格納棚の高さピッチの変更を容易にし、該容器の対抗する垂直両側面から育苗箱が出し入れできる構造とし、一基の該容器は一人で運搬できる総重量及び容積に製作し、且つ、該容器は必要なだけの数、水平方向にも垂直方向にも容易に合体して希望する大きさの容量にトラック等の運搬車両上で組み立てできる構造とした。【選択図】図１
2016202058.tif 000002
【特許請求の範囲】
【請求項１】
規格寸法の一枚の育苗箱を略水平に格納する棚を多段に備え、一人又は二人の作業者でで持ち運び出来る育苗箱運搬容器にあって、
該育苗箱運搬容器は、
最下段育苗箱格納部、少なくとも一段の育苗箱を格納する棚を備える中間段育苗箱格納部、最上段育苗箱格納部及び４本一組の支柱を主要構成要素とし、且つ対抗する両側面を、育苗箱を出し入れする開口構造とし、
該育苗箱運搬容器に求められる異なる仕様に対し、上記最下段育苗箱格納部、上記中間段育苗箱格納部の一段分の部材、及び上記最上段育苗箱格納部は共通部品とし、上記中間段育苗箱格納部の一段分の部材の増減、及び異なる仕様の４本一組の支柱交換で対応することを特徴とする組み立て式育苗箱多段格納運搬容器。
【請求項２】
上記開口構造部より、育苗箱が飛び出して落下することを防止する構造を備えた請求項１に記載の組み立て式育苗箱多段格納運搬容器。
【請求項３】
請求項１又は２に記載の組み立て式育苗箱多段格納運搬容器にあって、該容器を多数整然と平面に並べた場合に、お互いに隣り合う該容器を連結する構造を備えることを特徴とする組み立て式育苗箱多段格納運搬容器。
【請求項４】
請求項１、２又は３に記載の組み立て式育苗箱多段格納運搬容器にあって、該容器の四隅に設ける支柱を上方に延長して他の容器を段重ねできる構造を有し、延長する寸法は、相対位置が下段になる容器の最上段育苗箱格納部と相対位置が上段になる容器の最下段育苗箱格納部の最下面との間に、他の段と同一高さピッチの育苗箱を格納できる空間を確保できる寸法で、上下の該容器のズレを抑制する構造を備えた組み立て式育苗箱多段格納運搬容器。
【請求項５】
請求項１、２、３又は４に記載の組み立て式育苗箱多段格納運搬容器にあって、一段に格納する一枚の育苗箱が二枚並列に格納できる構造の組み立て式育苗箱多段格納運搬容器。
【発明の詳細な説明】
【技術分野】
【０００１】
本発明は、育苗箱を上下に多段に格納する棚を備え、人力で持ち運び可能な総重量及び容積に製作する育苗箱運搬容器及びに関する。
【背景技術】
【０００２】
現在の育苗は、育苗作業の効率化及び機械による移植作業での効率化を目指し、規格寸法の育苗箱（アンダートレイ）に、同じく規格により間仕切りしたプラグトレイ又はセルトレイ（以後、セルトレイで記述する）を入れ、セルトレイに培養土を入れ、各セルに播種する。（以下、育苗箱に苗が育った物も育苗箱と記載する）
【０００３】
セルトレイの区画数（セルの穴数）は、５×１０＝５０穴、６×１２＝７２穴、８×１６＝１２８穴、１０×２０＝２００穴、１２×２４＝２８８穴等があり、区画数が少ないものほど大きく育てる大苗用に用い、苗高さも本葉３〜４枚が育った状態で、草丈も１０ｃｍ以上、８〜１０ｃｍ、６〜８ｃｍ、４〜６ｃｍを目安に、作物の苗の特性等を勘案して利用する。
【０００４】
最近は、畝をマルチシートで覆うことが多く、マルチシートに移植用の穴を開けて利用するが、マルチシートが太陽光で熱を持ち、苗の下葉がシートに接して熱による障害を起こすことが多く、小さな苗（小苗）を植える農家も多く、他の例としては４０６穴の紙容器の通称スーパーポットと呼ぶ、ポット苗を利用する例も多い。
【０００５】
播種した育苗箱のこの後の移動の流れを略記すると、育苗場に運び、育苗台に並べ、移植適期に苗が育った育苗箱はトラック等に積んで、圃場横の農道又は作業道に運ぶ。
トラックへの育苗箱の積載方法は、荷台一面に平面に並べる場合と、多列多段に育苗箱が格納できるトラックに合わせた一体型の育苗箱運搬棚を備えて、又は多列多段に育苗箱が格納できるパレットに棚を作りこんだ物を利用して大量に運ぶ場合と、小中規模の生産者では一方向からのみ育苗箱を出し入れできる一枚の育苗箱を格納する棚を５段前後備えた育苗箱運搬容器１〜２基を用いる。この育苗箱運搬容器は前述のトラックに大量に積んだ育苗箱をトラックから積み替えて圃場内現場に運ぶ運搬容器としても利用する。
【０００６】
前記、一方向にのみ育苗箱を出し入れできる多段の育苗箱運搬容器は、圃場内に持ち込み、作業場最適な位置に仮置きし、必要に応じ移動させて利用するが、小中規模な農家は、運搬容器を利用せず、育苗箱を平面に積んだ軽トラック等と移植現場を１~２枚の育苗箱を持って往復する場合もある。
【０００７】
一日に移植する一区画の苗の数は、作物が成長して収穫出荷する一日の出荷量に対応し、レタス１６玉入りの段ボール箱を例に説明すると、セルトレイ１枚の苗数２８８株を利用する場合、
一日の出荷量が１００箱の場合、１００×１６＝１、６００玉、さかのぼって１、６００株苗を移植するに必要な育苗箱の数は約５．５６枚（１、６００÷２８８）で６枚必要となり、六枚入りの育苗箱運搬容器１基で対応できる。
一日の出荷量が２５０箱の場合、２５０×１６＝４，０００玉、さかのぼって４，０００株苗を移植するに必要な育苗箱の数は約１３．９枚（４、０００÷２８８）で１４枚必要となり、７枚入りの育苗箱運搬容器２基で対応できる。
一日の出荷量が５００箱の場合、５００×１６＝８，０００玉、さかのぼって８，０００株苗を移植するに必要な育苗箱の数は約２７．８枚（８、０００÷２８８）で２８枚必要となり、７枚入りの育苗箱運搬容器４基で対応できる。
一日の出荷量が７５０箱の場合、７５０×１６＝１２，０００玉、さかのぼって１２，０００株苗を移植するに必要な育苗箱の数は約４１．７枚（１２、０００÷２８８）で４２枚必要となり、７枚入りの育苗箱搬容器６基で対応できる。
一日の出荷量が１、０００箱の場合、１、０００×１６＝１６、０００玉、さかのぼって１６、０００株苗を移植するに必要な育苗箱の数は約５５．６枚（１６、０００÷２８８）で５６枚必要となり、７枚入りの育苗箱運搬容器８基で対応できる。
又、白菜の場合に利用するダンボール箱の白菜の入り数６玉の場合、上述の出荷箱数に対応する育苗箱数は約２．６７倍となり、キャベツの場合に利用するダンボール箱のキャベツの入り数８玉の場合、上述の出荷箱数に対応する育苗箱数は約２．０倍となる。
【０００８】
育苗箱にセルトレイを入れ、培養土を満たし、苗が移植適期に生長し、たっぷりと灌水した状態での育苗箱の重量は約１．５ｋｇ前後となり、育苗箱運搬容器の自重を加味し、トラックの荷台への積み下ろし、圃場内を畝溝に沿って、又は畝を横切って運ぶことなどを想定すると、育苗箱運搬容器に格納する育苗箱の枚数は、作業者の腕力により異なるが、一人作業の場合６〜８枚程度が最適と思われる。
【０００９】
１シーズンに異なる作物を生産する農家や法人も多く、例えばレタスとキャベツ、レタスと白菜などの代表例があり、生産者により生産する苗の大きさも異なり、利用するセル形状も異なる場合が多く、当然、育苗箱運搬容器の仕様に対する要求も異なる。
【先行技術文献】
【特許文献】
【００１０】
【特許文献１】特開平９−１１７２２３
【特許文献１】特開平１０−１１９７８７
【特許文献１】特開平１０−１９１７９８
【特許文献１】特開２００８−２１１９９９
【発明の概要】
【発明が解決しようとする課題】
【００１１】
本発明は、上述のような事情に基づいてなされたものであり、セルトレイを利用して育苗する農家で、小規模、中規模、大規模農家、及び育苗して苗を販売する企業及び組織に使い勝手の良い、苗の特性に容易に対応できる準オーダーメイドの育苗箱運搬容器を提供することを課題とする。
【課題を解決するための手段】
【００１２】
育苗箱１枚を略水平に段重ねして利用する育苗箱運搬容器は１〜２人で持ち運びできる総重量と容積となるように配慮し、ユーザーが望む仕様に対応できる準オーダーメイドの構造とするために、多種類の作物の苗が移植適期に成長した草丈の異なる苗に応じて各段の高さを変更し、又段数を増減して利用できる仕様の異なる支柱で対応できる構造とし、他の多くの部材は共通部品とした。
【００１３】
育苗箱運搬容器の対抗する両側面を開放型とし、育苗箱を両方から出し入れできる構造とし、作業中に反対側に回り込む動作を無くし、又育苗箱運搬容器の移動中に育苗箱が抜き出ない構造とした。
【００１４】
育苗箱運搬容器を平面に（具体的にはトラックの荷台に）整然と複数積み込みした時に、お互いを連結して一体構造物に順じて合体できる構造とし、更に上下に重ね置きする場合にも、お互いを連結して運搬車両上で順じ合体できる構造も提供でき、大量に運ぶ場合も、ロープ掛け等の作業を無くし、移植現場で小分けが出来るので、個々の生産者が一回に運ぶ育苗箱の数量の違いに対応しやすくした。
【発明の効果】
【００１５】
上述の構造を備えているので、苗の生産規模や苗の特性に対応しやすく、個々の農産物生産者に対応した、準オーダーメイドの育苗箱運搬容器を提供でき、育苗箱運搬容器の供給メーカーも共通部品が多いので在庫負担が軽減でき、組み立て式のため納品の運送費が軽減できる。
【図面の簡単な説明】
【００１６】
【図１】本発明の一実施形態を示す、組み立て式育苗箱多段格納運搬容器の概略側面図。
【図２】本発明の一実施形態を示す、育苗箱を配した組み立て式育苗箱多段格納運搬容器の概略正面図で、概略背面図と同じ図である。
【図３】図２の矢視Ａ−Ａの最上段育苗箱格納部を示す概略平面図。
【図４】図２の矢視Ｂ−Ｂの最下段育苗箱格納部を示す概略平面図。
【図５】隣接して配した組み立て式育苗箱多段格納運搬容器の最上段育苗箱格納部に設けた育苗箱抜け出し防止縦軸保管時セット穴兼隣接容器連結穴２箇所を連結する２箇所連結用隣接容器連結金具を、利用時の方向を反転して示す鳥瞰図。
【図６】隣接して配した組み立て式育苗箱多段格納運搬容器の最上段育苗箱格納部に設けた育苗箱抜け出し防止縦軸保管時セット穴兼隣接容器連結穴４箇所を連結する４箇所連結用隣接容器連結金具を、利用時の方向を反転して示す鳥瞰図。
【図７】一段に育苗箱二枚を並列に並べる場合の最上段育苗箱格納部（最下段育苗箱格納部と同じ図である）を示す概略平面図。
【発明を実施するための形態】
【００１７】
以下、図面を参照しつつ、本発明の一実施形態を説明する。
【００１８】
図１及び図２に示す組み立て式育苗箱多段格納運搬容器１は、一枚の規格寸法の育苗箱１０を、必要な上下方向の間隔を設けて、略水平に多段に格納して運搬の用に供する育苗箱運搬容器であって、
該容器の略四隅に垂直に設ける４本の支柱５、最下段に一枚の育苗箱１０を格納する最下段育苗箱格納部４、最上段に一枚の育苗箱１０を格納する最上段育苗箱格納部２、及び最下段育苗箱格納部４と最上段育苗箱格納部２との中間に一枚の育苗箱を格納する中間棚３１を少なくとも一段設ける中間段育苗箱格納部３を主要構成要素とし、対抗する両側面のいずれの面からでも育苗箱１０を差し入れ又は抜き出すことが出来る両面開口構造をなし、補助部品として育苗箱抜け出し防止縦軸９及び上下段重ねズレ防止金具１１３を備える。
尚、本説明では、育苗箱１０を縦長に差し込む例を記載しているが、横長に差し込む方法でも良い。
又、一段の棚に育苗箱１０を二枚格納する場合は、図７に図示するように横長に指し込む方法である。
【００１９】
（支柱）
上記４本の支柱５は、
該４本の支柱５の下端部と上記最下段育苗箱格納部４の略四隅の両者に設けた合計４箇所の貫通穴８１をボルト及びナットで強固に連結し、
該４本の支柱５の上端部と上記最上段育苗箱格納部２の略四隅の両者に設ける合計４箇所の貫通穴８１をボルト及びナットで強固に連結し、
該４本の支柱５の中間位置に、高さ方向を等ピッチで、上記中間段育苗箱格納部３を構成する上記中間棚３１を、上記支柱５に設けた貫通穴８２とアングル６２に設けた貫通穴８２をボルト及びナットで強固に連結して設け、
該４本の支柱５一組の仕様は、設ける中間棚３１の段数、設ける中間棚３１の棚高さピッチ、又は少なくとも２種類の異なる棚高さピッチで支柱５を兼用する等、仕様の異なる複数の種類の支柱５と取り替える構造で、該支柱５の水平断面形状はアングルを用いる。
尚、支柱５は、チャンネル、又は、中間段育苗箱格納部３の一対で平行な２本のアングル６２が取り付け容易な構造を付加した部材の場合は水平断面が角パイプ等ほかの断面形状の物でも良い。
【００２０】
（最上段育苗箱格納部）
上記最上段育苗箱格納部２は、
一対で平行な２本のアングル６１を育苗箱支持部材６として、又、一対で平行な２本のアングル７１を上部の横梁部材７として設け、育苗箱支持部材６のアングル６１と上部の横梁部材７のアングル７１はお互いに直交して設け、
上部の横梁部材７の２本のアングル７１の一辺は水平に、他辺は垂直下方に設け、且つ、水平な面はお互いに外側を向くように設け、上記２本の育苗箱支持部材６のアングル６１は、一辺を垂直上方に他辺を水平に配し、該アングル６１の水平な面はお互いに向き合って設け、該アングル６１の垂直面は各々一対の上記支柱５の上端部の一面と面接触して設け、該アングル６１の両端部は上記上部の横梁部材７のアングル７１の上面に各々掛け渡し、且つ、上部の横梁部材７の端部より上記支柱５の１辺分の長さ分内側に配し、
上記上部の横梁部材７のアングル７１の端部側面の内側の垂直面は支柱５の上端部の一面と面接触して設ける。
尚、上部の横梁部材７１はアングルで無く角パイプでもチャンネルでも良い。
【００２１】
（中間段育苗箱格納部）
上記中間段育苗箱格納部３は、同じ形状の中間棚３１で構成し、
中間棚３１の一対で平行な２本のアングル６２は、該アングル６２の一辺を垂直上方に他辺を水平に、該アングル６２の水平な面はお互いに向き合って配し、該アングル６２の垂直面と各々一対の上記支柱５の一面と面接触して、支柱５及びアングル６２に設けた合計４箇所の貫通穴８２をボルト及びナットで強固に連結し、計画の段数中間棚３１を設ける。
【００２２】
（最下段育苗箱格納部）
上記最下段育苗箱格納部４は、
一対で平行な２本のアングル６３を育苗箱支持部材６として、又、一対で平行な２本の角パイプ７２を下部の横梁部材７として設け、該育苗箱支持部材６のアングル６３と該下部の横梁部材７の角パイプ７２はお互いに直交して設け、
２本一対のアングル６３は一辺を垂直上方に他辺を水平に配し、且つ、該アングル６３の水平な面はお互いに向き合って設け、該アングル６３の垂直面は、各々一対の上記支柱５の下端部の一面と面接触して設け、
該アングル６３の両端部は、上記一対の角パイプ７２の上面に掛け渡し、且つ、該角パイプ７２の端部より上記支柱５の１辺分の長さ分内側に配し、該角パイプ７２の端部側面の内側と上記支柱最下部の一面と面接触して設ける構造とする。
尚、上記下部の横梁部材７の角パイプ７２は、育苗箱抜け出し防止縦軸９が上記最下段育苗箱格納部４を貫通して落ちない構造であれば、他の断面形状の部材のチャンネル等でも良い。
【００２３】
（育苗箱抜け出し防止縦軸）
育苗箱抜け出し防止縦軸９は、育苗箱１０の水平方向の抜け落ちを防止する部材で、支柱５の仕様変更に合わせて長さを変更し、
上記最上段育苗箱格納部２の上部の横梁部材７のアングル７１の水平面の略中央に設けた育苗箱抜け出し防止縦軸稼動時セット穴９１より、上記最下段育苗箱格納部４の下部の横梁部材７の角パイプ７２の水平上面の略中央に設けた育苗箱抜け出し防止縦軸稼動時セット穴９１に差し込んで利用する物で、
育苗箱１０を出し入れする際は、上記育苗箱抜け出し防止縦軸９を、
上記最上段育苗箱格納部２の上部の横梁部材７のアングル７１の水平面の略両端部に設けた育苗箱抜け出し防止縦軸保管時セット穴兼隣接容器連結穴９２より、上記最下段育苗箱格納部４の下部の横梁部材７の角パイプ７２の水平上面の略両端部に設けた育苗箱抜け出し防止縦軸保管時セット穴兼隣接容器連結穴９２に差し込んで仮置きする構造である。
【００２４】
（隣接容器連結金具）
隣接容器連結金具１１は、２箇所連結用隣接容器連結金具１１１と４箇所連結用隣接容器連結金具１１２の二種類を用意し、
２箇所連結用隣接容器連結金具１１１は並列又は直列に並んだ組み立て式育苗箱多段格納運搬容器１の隣り合う上部の横梁部材７のアングル７１の水平面の略両端部に設けた育苗箱抜け出し防止縦軸保管時セット穴兼隣接容器連結穴９２に、図５に示す２箇所連結用隣接容器連結金具１１１を反転させて上記穴９２の隣接する二つの穴に差し込んで利用し、
４箇所連結用隣接容器連結金具１１２は縦横に並んだ組み立て式育苗箱多段格納運搬容器１の隣り合う上部横梁部材のアングル７１の水平面の略両端部に設けた育苗箱抜け出し防止縦軸保管時セット穴兼隣接容器連結穴９２に、図６に示す４箇所連結用隣接容器連結金具１１２を反転させて上記穴９２の隣接する四つの穴に差し込んで利用する。
尚、上記金具１１は簡単なロープ掛け等で用の足りる場合は不要な構造である。
【００２５】
（上下段重ねズレ防止金具）
上下段重ねズレ防止金具１１３は支柱５の上端部に配して、下段に配置する組み立て式育苗箱多段格納運搬容器１の支柱５の上端部及び上段に重ね積みする組み立て式育苗箱多段格納運搬容器１の支柱５の下端部のアングルの内側をお互いに拘束して両者のズレを抑止する効果を発揮し、
上記金具１１３は上下段重ねズレ防止部品組み立て用貫通ボルト穴８４をボルト及びナットで強固に連結する。
尚、段重ねして利用する必要の無い生産者には不要な構造である。
【００２６】
＜発明商品の利点＞
農家の農業機械器具に関する潜在的な要望は千差万別で、本発明商品の仕様に関しても、生産者の人員構成、圃場条件、生産物、一日の出荷量等々に対応して、一日に必要な移植株の数が決まり、本発明の組み立て式育苗箱多段格納運搬容器１の最適な仕様は、利用者により異なり、その要望に柔軟に対応することが出来る。
【００２７】
〔その他の実施形態〕
本発明は上記実施形態に限定されるものではない。
【産業上の利用可能性】
【００２８】
上述の如き構造を有し、その構造から導かれる優れた特性により、産業上の利用の可能性は大いに期待できる。
【符号の説明】
【００２９】
１      組み立て式育苗箱多段格納運搬容器
２      最上段育苗箱格納部
３      中間段育苗箱格納部
３１    中間段育苗箱格納部の中間棚
４      最下段育苗箱格納部
５      支柱
６      育苗箱支持部材
６１    最上段育苗箱格納部の育苗箱を受けて支持する一対のアングル
６２    中間段育苗箱格納部の育苗箱を受けて支持する一対のアングル
６３    最下段育苗箱格納部の育苗箱を受けて支持する一対のアングル
７      横梁部材
７１    上部の横梁部材のアングル
７２    下部の横梁部材の角パイプ
８      組み立て用貫通ボルト穴
８１    最上段育苗箱格納部組み立て用貫通ボルト穴
８２    中間段育苗箱格納部組み立て用貫通ボルト穴
８３    最下段育苗箱格納部組み立て用貫通ボルト穴
８４    上下段重ねズレ防止部品組み立て用貫通ボルト穴
９      育苗箱抜け出し防止縦軸
９１    育苗箱抜け出し防止縦軸稼動時セット穴
９２    育苗箱抜け出し防止縦軸保管時セット穴兼隣接容器連結穴
１０    育苗箱
１１    隣接容器連結金具
１１１  ２箇所連結用隣接容器連結金具
１１２  ４箇所連結用隣接容器連結金具
１１３  上下段重ねズレ防止金具
【図１】
2016202058.tif 000003
【図２】
2016202058.tif 000004
【図３】
2016202058.tif 000005
【図４】
2016202058.tif 000006
【図５】
2016202058.tif 000007
【図６】
2016202058.tif 000008
【図７】
2016202058.tif 000009